(57)【要約】【課題】アース部材の変形を抑え帯電部材に確実に圧接させてアースする。【解決手段】遊技盤をアースするアース構造１００では、球通路ユニット１１０の前面側に取り付けられるアース部材１４０の先端側に、湾曲部１４６、導通接触部１５０、及び突出部１４８を形成し、突出部１４８に形成した係合部（長孔１５２及び切欠き１５４Ｌ、１５４Ｒ）を、外れ球誘導路１２０の前端面１２０Ａに形成したセンターピン１２２及びサイドピン１２４Ｌ、１２４Ｒに係合させて支持するとともに、突出部１４８を外れ球誘導路１２０の前端面１２０Ａに当接させて支持する。アース部材１４０の導通接触部１５０付近に加わる荷重が外れ球誘導路１２０の前端面１２０Ａに支持された突出部１４８によって受け止められ、アース部材１４０の変形が抑えられる。【選択図】図７
2008000537.tif 000002
【特許請求の範囲】
【請求項１】
帯電部材をアースするためにその帯電部材に圧接して電気的に導通されるアース部材と、前記アース部材が前記帯電部材に圧接するよう取り付けられる取付手段と、を備え、
前記アース部材は、
前記取付手段に取り付けられる取付部と、
前記取付部の先端側に設けられ前記帯電部材に圧接する圧接部と、
前記取付手段に設けられた支持部材に支持されて前記圧接部付近に加わる荷重を受ける荷重受け部と、
を有することを特徴とするアース構造。
【請求項２】
前記支持部材は、前記荷重受け部との係合により荷重受け部を支持する係合支持部を有することを特徴とする請求項１記載のアース構造。
【請求項３】
前記支持部材は、前記荷重受け部との当接により荷重受け部を支持する当接支持部を有することを特徴とする請求項１又は請求項２記載のアース構造。
【請求項４】
前記アース部材が金属製の板バネにより形成されていることを特徴とする請求項１〜請求項３の何れか１項記載のアース構造。
【請求項５】
請求項１〜請求項４の何れか１項記載のアース構造を備え、前記帯電部材が遊技機を構成する構成部材とされていることを特徴とする遊技機。
【発明の詳細な説明】
【技術分野】
【０００１】
本発明は、帯電部材にアース部材を圧接させて電気的に導通しアースするアース構造、及び、そのアース構造を備えた遊技機に関する。
【背景技術】
【０００２】
パチンコ機等の遊技機における遊技盤に形成されたアウト口部のアース構造としては、遊技盤に取り付けられた下レール（内レール）に板ばね状のアース部材を圧接させて、遊技盤に帯電する静電気を除去するよう構成したものが提案されている（例えば、特許文献１参照）。
【特許文献１】特開２００３−３０５２４９号公報
【発明の開示】
【発明が解決しようとする課題】
【０００３】
ところで、上記のようなアース部材が片持ち状に支持されて突出されているような場合には、アース部材が取り付けられたユニットの輸送時、あるいは、遊技機の製造時や遊技盤の交換時等に、アース部材の突出部（圧接部）付近に外力（荷重）が加わると変形するおそれがある。
【０００４】
本発明は上記事実を考慮して、アース部材の変形を抑え帯電部材に確実に圧接させてアースすることができるアース構造及び遊技機を提供することを課題とする。
【課題を解決するための手段】
【０００５】
上記課題を解決するために請求項１に記載の発明は、帯電部材をアースするためにその帯電部材に圧接して電気的に導通されるアース部材と、前記アース部材が前記帯電部材に圧接するよう取り付けられる取付手段と、を備え、前記アース部材は、前記取付手段に取り付けられる取付部と、前記取付部の先端側に設けられ前記帯電部材に圧接する圧接部と、前記取付手段に設けられた支持部材に支持されて前記圧接部付近に加わる荷重を受ける荷重受け部と、を有することを特徴としている。
【０００６】
請求項１に記載の発明では、取付手段に取付部が取り付けられたアース部材は、取付部の先端側に設けられた圧接部が帯電部材に圧接して電気的に導通されるとともに、荷重受け部が取付手段に設けられた支持部材に支持される。このアース部材では、圧接部付近に加わる荷重（外力）が、支持部材に支持された荷重受け部によって受けられるため、変形が抑えられる。
【０００７】
請求項２に記載の発明は、請求項１記載のアース構造において、前記支持部材は、前記荷重受け部との係合により荷重受け部を支持する係合支持部を有することを特徴としている。
【０００８】
請求項２に記載の発明では、圧接部付近に対し、例えば圧接方向や圧接方向と交差する方向に荷重が加えられると、荷重受け部が支持部材の係合支持部に係合して支持される。これにより、圧接部付近に加えられる荷重によるアース部材の変形が確実に抑えられる。
【０００９】
請求項３に記載の発明は、請求項１又は請求項２記載のアース構造において、前記支持部材は、前記荷重受け部との当接により荷重受け部を支持する当接支持部を有することを特徴としている。
【００１０】
請求項３に記載の発明では、圧接部付近に対し、例えば圧接方向や圧接方向と交差する方向に荷重が加えられると、荷重受け部が支持部材の当接支持部に当接して支持される。これにより、圧接部付近に加えられる荷重によるアース部材の変形が確実に抑えられる。
【００１１】
請求項４に記載の発明は、請求項１〜請求項３の何れか１項記載のアース構造において、前記アース部材が金属製の板バネにより形成されていることを特徴としている。
【００１２】
請求項４に記載の発明では、アース部材を金属製の板バネで形成することにより、構成を簡素化することができ安価に作製することができる。
【００１３】
請求項５に記載の発明は、請求項１〜請求項４の何れか１項記載のアース構造を備え、前記帯電部材が遊技機を構成する構成部材とされていることを特徴としている。
【００１４】
請求項５に記載の発明に係る遊技機では、例えば遊技球の移動による摩擦で静電気が帯電する遊技盤等の、遊技機を構成する構成部材を、上記のアース構造によって確実にアースし除電することができる。したがって、静電気による遊技機の誤動作等の悪影響を確実に防止することができる。
【発明の効果】
【００１５】
本発明のアース構造及び遊技機によれば、アース部材の変形が抑えられ帯電部材に確実に圧接されてアースすることができる。
【発明を実施するための最良の形態】
【００１６】
以下、本発明の実施形態に係る遊技機について図面を参照して説明する。
【００１７】
（パチンコ機の構成）
図１〜図４には、本発明の一実施形態に係るパチンコ機１０が示されている。図１〜図４に示されるように、パチンコ機１０は、パチンコ機１０の外郭を構成するとともにパチンコホールの島設備に設置される矩形状の外枠１２を備えている。外枠１２の前面には、合成樹脂で矩形額縁状に形成された内枠１４が配置されており（図４参照）、内枠１４の下側となる外枠１２の前面下端部には、パチンコ機１０の前面下端部を構成する合成樹脂製の下飾り１６が取り付けられている。
【００１８】
内枠１４は、外枠１２の左上角部と下飾り１６の左上角部とに設けられた一対のヒンジ部１８、２０に左側端部が軸支されて開閉可能に取り付けられている。内枠１４の前面上部には、パチンコ機１０の前面上部を構成するガラス枠２２が配置されており、ガラス枠２２は、縦長略楕円形の窓部２４にガラス板２６が装着されるとともに、左側端部が内枠１４に軸支されて開閉可能に取り付けられている（図４参照）。
【００１９】
ガラス枠２２の裏面側となる内枠１４の前面上部には、矩形状の開口部１５が形成されている。この内枠１４の開口部１５には、遊技盤Ｇが着脱（交換）可能にセットされており、遊技盤Ｇは、内枠１４に対して閉塞されたガラス枠２２によって覆われ、盤面上に設けられた遊技領域ＰＡが、パチンコ機１０の正面側から窓部２４のガラス板２６を通して視認可能とされている。
【００２０】
この遊技盤Ｇは、装飾画を印刷した樹脂製シート状のセルが基板であるベニヤ板に貼着されてそのセルの表面が盤面とされている。盤面の外周端部付近には、金属板により円弧状に形成された外レール９４と内レール（下レール）９６が互いに電気的導通が取られて取り付けられており、これらの外レール９４及び内レール９６によって囲まれた円形状の領域は、遊技球が移動可能な遊技領域ＰＡとされている。
【００２１】
遊技領域ＰＡには、例えば、液晶ディスプレイ等で構成された特別図柄表示装置を備えるセンター役物、普通図柄表示装置、始動口（スタート・チャッカー）、通過入賞口（スルー・チャッカー）、普通入賞口、及び、大入賞口（アタッカー）を備えた変動入賞装置（特別電動役物）等がそれぞれ所定の位置に配置されるとともに、遊技領域ＰＡ内を落下する遊技球を所定の経路に誘導する多数の遊技釘が設けられており（何れも図示省略）、最下位置に外れ球（アウト球）が排出されるアウト口９８が形成されている。
【００２２】
図１及び図３に示されるように、ガラス枠２２の前面には、左右の両側端部に、遊技の進行に応じて点灯、消灯、及び点滅し照明による演出を行う複数の照明演出用のランプ２８が配設されており、左上と右上の各角部近傍に、遊技の進行に応じて効果音をステレオ出力する中高音用のスピーカ３０Ｌ、３０Ｒが内蔵されている。
【００２３】
内枠１４の前面下部には、パチンコ機１０の前面下部を構成する皿ユニット４０が配置されている。皿ユニット４０は、皿ユニット４０の本体部を構成するベース４１の左側端部が内枠１４に軸支されて開閉可能に取り付けられており、ベース４１の前面上部に、遊技球を遊技盤Ｇへ向けて発射するために貯留して発射装置６０（図２及び図４参照）へ供給する上皿４２が突設され、ベース４１の前面下部における上皿４２の左下に、上皿４２に貯留しきれない遊技球を貯留するための下皿４４が突設されている。
【００２４】
上皿４２は、底面が正面視にて右側から左側へ向けて下り傾斜しており、傾斜方向下流側となる底面の左側に、上皿４２内に貯留された遊技球を１列に整列して、ベース４１の裏面に取り付けられた球送り装置４５（図４参照）へ誘導する整列通路４６が設けられている。ベース４１によって構成された上皿４２の奥壁面における右側端部には、内枠１４の裏面に設けられた払出装置６２（図２参照）から払い出された貸し球や賞球が排出される球排出口４８が形成されており、下皿４４の奥壁面における右側端部には、上皿４２に貯留しきれない遊技球が排出される球排出口４９が形成されている。
【００２５】
この皿ユニット４０を構成するベース４１の前面右下部には、発射装置６０と電気的に接続されて打球の発射力（飛距離）を調整する発射ハンドル５４が取り付けられており、ベース４１の前面左下部には、下皿４４に隣接して灰皿５６が設けられている。また、ベース４１の前面略中央は矩形箱状に膨出しており、内部には、遊技の進行に応じて効果音を出力する重低音用のスピーカ（サブウーハ）５８が設けられている。
【００２６】
図４に示されるように、ベース４１の裏面における略中央部には、上皿４２に貯留しきれない遊技球を下皿４４へ流下させる球通路７０が設けられており、球通路７０よりも回転支軸側には、球送り装置４５が取り付けられている。球通路７０は、上端部に通路入口７２が形成され、下端部に形成された通路出口が球排出口４９とされている（図３参照）。
【００２７】
一方、内枠１４の前面下部における皿ユニット４０の後側には、遊技盤Ｇの左下に発射装置６０が配置され、遊技盤Ｇの略中央下方から右下に掛けては、貯球タンク７４が内枠１４に着脱可能に取り付けられている。
【００２８】
貯球タンク７４は、上面が開口した箱型とされ、タンク底面が正面視にて左側から右側へ向けて下り傾斜している。タンク底面の傾斜方向上流側となる左側面には、払出装置６２の球払出口と連通されたタンク入口が形成されており（何れも図示省略）、傾斜方向下流側となる右側の前面には、上皿４２の球排出口４８に対応するタンク出口７６が形成されている。また、貯球タンク７４の前面左側端部には、タンク内の遊技球貯留量が満タンになった際に遊技球が溢れ出す、矩形状に切り欠かれたタンクオーバーフロー部７８が形成されている。
【００２９】
図２及び図４に示されるように、内枠１４の裏面における開放側（裏面視左側）の側端部には、内枠１４及びガラス枠２２を施錠するための施錠装置６４が取り付けられており、施錠装置６４の下側には、皿ユニット４０をロックするためのロック装置６８が取り付けられている。この施錠装置６４によって、内枠１４が外枠１２に閉塞された状態で施錠されるとともに、ガラス枠２２が内枠１４に閉塞された状態で施錠され、ロック装置６８によって、皿ユニット４０が内枠１４に閉塞された状態でロックされる。また、施錠装置６４の下部に設けられたシリンダー錠（錠前）６６は、皿ユニット４０の前面右上から露出しており、このシリンダー錠６６の鍵孔に鍵（図示省略）を差し込んで開錠操作すると、外枠１２に施錠された内枠１４が開錠されて開放可能となり、内枠１４に施錠されたガラス枠２２が開錠されて開放可能となる。さらに、ガラス枠２２を開放すると露出されるロック装置６８のロック解除レバー６９を操作すると、内枠１４にロックされていた皿ユニット４０がロック解除されて開放可能となる。
【００３０】
皿ユニット４０が内枠１４に閉塞されてロック装置６８によりロックされると、発射装置６０の前側に球送り装置４５が配置され、貯球タンク７４のタンクオーバーフロー部７８の前下側に球通路７０の通路入口７２が配置され、タンク出口７６及び球排出口４８を介して貯球タンク７４と上皿４２とが連通される。
【００３１】
図２に示されるように、内枠１４の裏面における上部には、島設備から供給された遊技球を貯留するための上タンク８０及び下タンク８２が設けられている。内枠１４裏面の回転支軸側（裏面右側）の側端部には、上タンク８０及び下タンク８２に貯留された遊技球を貯球タンク７４側へ流下させる上部球通路８４及び下部球通路８６が延設されており、上部球通路８４と下部球通路８６の間に払出装置６２が取り付けられ、下部球通路８６の下側に発射装置６０が取り付けられている。また、発射装置６０の左側には、払出装置６２を制御して遊技球の払い出しを実行及び停止させる払出制御基板８８が設けられている。
【００３２】
払出制御基板８８による払出停止制御では、払出装置６２を駆動停止させて遊技球の払い出しを停止し、払出実行制御では、払出装置６２を駆動させて、上タンク８０及び下タンク８２から上部球通路８４を流下し払出装置６２に誘導された遊技球を、貸し球又は賞球として下部球通路８６へ払い出す。そして、下部球通路８６を通り貯球タンク７４へ誘導された遊技球は、貯球タンク７４内を上流側（左側）から下流側（右側）へ転動して球排出口４８から排出され、上皿４２に貯留される。さらに、上皿４２内を下流側（左側）へ流下しつつ整列通路４６により１列に整列され、遊技者の発射ハンドル５４の操作により、球送り装置４５により１球ずつ発射装置６０に送り込まれ、発射装置６０によって遊技盤Ｇの遊技領域ＰＡへ発射される（図４の矢印Ａ方向）。この遊技球が遊技領域ＰＡを自重落下する過程で入賞又は外れとなることにより、遊技盤Ｇにて遊技球を用いた遊技が行われる。
【００３３】
遊技の進行に伴い、大量の遊技球が賞球として払い出されるなどし、上皿４２が満タンになると、上皿４２に貯留しきれない遊技球は貯球タンク７４に貯留される。さらに貯球タンク７４が満タンになると、貯球タンク７４に貯留しきれない遊技球はタンクオーバーフロー部７８から溢れ出す。この貯球タンク７４から溢れ出した遊技球は、通路入口７２に落下して球通路７０を流下し、球排出口４９から排出されて下皿４４に貯留される。
【００３４】
また、遊技の終了時などに、上皿４２の前面左側に設けられた上皿用球抜きレバー５０を操作すると、整列通路４６の最下流部が開放して、上皿４２に貯留された遊技球が球通路７０へ排出され下皿４４へ流下する。さらに、下皿４４が遊技球で満タンになったときや遊技の終了時などに、下皿４４の前面下側に設けられた下皿用球抜きレバー５２を操作すると、下皿底面の一部が開放して、下皿４４に貯留された遊技球が下皿４４の下方に配置された球箱（図示省略）へ排出される。
【００３５】
本実施形態のパチンコ機１０では、パチンコ機本体を構成する内枠１４と、内枠１４の前面下部に開閉可能に設けられて上皿４２及び下皿４４をユニット化した皿ユニット４０とでの遊技球の主な流動経路は以上の通りであり、この内枠１４の前面におけるタンク出口７６の下方位置と、皿ユニット４０のベース４１裏面における球排出口４８の下方位置とには、上下方向にスライド可能とされた一対のシャッター板９０、９２が取り付けられている。
【００３６】
シャッター板９０、９２は、皿ユニット４０が閉塞されると各々下方へ移動して（図４に示される位置）、タンク出口７６と球排出口４８とを開放し連通させる。また、皿ユニット４０が開放されると各々上方へ移動して、内枠１４側のシャッター板９０はタンク出口７６の下縁側を塞ぎ、皿ユニット４０側のシャッター板９２は球排出口４８の下縁側を塞ぐ。このシャッター板９０、９２によって、皿ユニット４０を開放した際に、貯球タンク７４及び上皿４２から遊技球が流出しないようせき止められる。
【００３７】
（アース構造の構成）
次に、上記のパチンコ機１０の内枠１４に設けられたアース構造を備える球通路ユニットについて説明する。
【００３８】
図５〜図８に示されるように、本実施形態のアース構造１００を備える球通路ユニット１１０は、球通路ユニット１１０のベース部を構成するとともに、内枠１４への取付状態にてパチンコ機１０の前側に配置される球通路本体１１２を備えており、球通路本体１１２の前面１１２Ａ側にアース部材１４０及びアース線１６０が取り付けられ、球通路本体１１２の後面（裏面）１１２Ｂに球通路カバー１１４が取り付けられて構成されている。
【００３９】
球通路本体１１２の上面部には、側端から中央側に掛けて下り傾斜した入賞球誘導路１１６、１１８が設けられており、入賞球誘導路１１６、１１８の最下流端部に挟まれた上記上面部の中央よりも少し左側には、外れ球誘導路１２０が設けられている。外れ球誘導路１２０は、球通路本体１１２の上面部において入賞球誘導路１１６、１１８よりも前方へ突出された平面視矩形状に形成されており、前側から後側に掛けて下り傾斜している。
【００４０】
図７に示されるように、外れ球誘導路１２０の前端面（先端面）１２０Ａには、３本のピン（ボス）１２２、１２４Ｌ、１２４Ｒが設けられている。これら３本のピン１２２、１２４Ｌ、１２４Ｒは、球通路本体１１２の成型によるヒケを抑えるために円筒状に形成されており、前端面１２０Ａの中央部上側にセンターピン１２２が配置され、センターピン１２２の両側方における少し下側に一対のサイドピン１２４Ｌ、１２４Ｒが配置されて、前端面１２０Ａから前方へ向けて相互に平行となるよう突出している。また、図８に示されるように、センターピン１２２はサイドピン１２４Ｌ、１２４Ｒよりも突出長さが少し大きくされている。
【００４１】
この球通路本体１１２の後面１１２Ｂに球通路カバー１１４が取り付けられてユニット化された球通路ユニット１１０では、上面部における外れ球誘導路１２０の後側と入賞球誘導路１１６、１１８の下流部の後側を含む領域に、球通路入口１２６が形成され、下面部における外れ球誘導路１２０の下側に、球通路出口１２８が形成されており、内部には、球通路入口１２６から球通路出口１２８へ掛けて横方向（右方向）へ蛇行する球通路１３０が設けられている。また、球通路本体１１２の前面１１２Ａ側では、外れ球誘導路１２０の下面１２０Ｂと、球通路本体１１２の前面１１２Ａにおける外れ球誘導路１２０の下側領域に跨って、アース部材１４０が取り付けられている。
【００４２】
本実施形態のアース部材１４０は、電気的導通性を有する金属板によって板バネ状に形成されており、図９に示されるように、縦断面が逆Ｌ字形となるよう略直角に屈曲された取付部１４２を備え（図９（Ａ）参照）、取付部１４２の下端部１４２Ａ近傍に取付孔１４４が形成されている（図９（Ｂ）参照）。
【００４３】
取付部１４２の先端部（前端部）１４２Ｂからは、基端側となる取付部１４２側から先端側に掛けて上側へ略横Ｕ字状に湾曲された湾曲部１４６が延出されている。湾曲部１４６の先端からは、取付部１４２の先端部１４２Ｂが位置する下側へ屈曲されて略垂直に突出された突出部１４８が設けられており、これら湾曲部１４６及び突出部１４８の上端部分がアース部材１４０の導通接触部１５０とされている。
【００４４】
図９（Ｂ）に示されるように、突出部１４８は下方へ向けて凸状に形成されており、突出部１４８の中央部に、上下方向を長径とした縦長の長孔１５２が形成され、突出部１４８の下端両側部に、一対の切欠き１５４Ｌ、１５４Ｒが形成されている。
【００４５】
上記の構成とされたアース部材１４０は、取付部１４２が球通路本体１１２の前面１１２Ａと外れ球誘導路１２０の下面１２０Ｂに突き当てられるとともに、突出部１４８の長孔１５２にセンターピン１２２が挿通され、切欠き１５４Ｌ、１５４Ｒにサイドピン１２４Ｌ、１２４Ｒが嵌め合わせられて位置決めされ、取付孔１４４にネジ１５６が挿通されて、球通路本体１１２の前面１１２Ａに形成されたネジ孔１５８に締め付けられることにより（図７参照）、球通路本体１１２の前面１１２Ａ及び外れ球誘導路１２０の下面１２０Ｂに跨って取り付けられている。
【００４６】
また、アース部材１４０を固定するネジ１５６には、アース線１６０の一端に設けられた接続端子１６２が取付部１４２に共締めされており（図５参照）、これによって、アース部材１４０にはアース線１６０が電気的に導通されている。そして、アース線１６０は、球通路本体１１２の前面１１２Ａに形成された複数のスリット１３２に嵌め入れられて右側に引き回され、他端に設けられた接続端子１６４が球通路ユニット１１０の右外側へ引き出されている。
【００４７】
上記の構成とされた球通路ユニット１１０は、図１０に示されるように、内枠１４の開口部１５における下側に取り付けられている。この取付状態では、開口部１５の底面部分に形成された切欠き１６６からアース部材１４０の導通接触部１５０が上方へ突出しており、また、アース接地されたパチンコ機１０のアース端子部（図示省略）に、アース線１６０の接続端子１６４が接続されている。
【００４８】
図１１に示されるように、内枠１４の開口部１５に遊技盤Ｇが取り付けられると、図１２に示されるように、外れ球誘導路１２０の先端部（前端部）の上側にアウト口９８が配置され、内レール９６の下面がアース部材１４０の導通接触部１５０に突き当たって導通接触部１５０を押し下げる。これにより、湾曲部１４６が潰れる方向へ弾性変形し、湾曲部１４６の弾性復元力により導通接触部１５０が内レール９６の下面に圧接して、アース部材１４０が内レール９６に電気的に導通されている。
【００４９】
また、パチンコ機１０による遊技では、遊技盤Ｇのアウト口９８に入った外れ球は、外れ球誘導路１２０により、傾斜方向である後側に誘導されて球通路入口１２６に入り、球通路１３０を通り抜けて球通路出口１２８から排出され回収される。また、各入賞口へ入賞して遊技盤Ｇの裏面側へ排出された入賞球は、入賞球誘導路１１６、１１８上に落下し、傾斜方向である中央側に誘導されて球通路入口１２６に入り、同様に、球通路１３０を通り抜けて球通路出口１２８から排出され回収される。
【００５０】
次に、本実施形態の作用について説明する。
【００５１】
本実施形態に係るパチンコ機１０のアース構造１００では、球通路ユニット１１０を構成する球通路本体１１２の前面１１２Ａ側に取付部１４２が取り付けられたアース部材１４０は、取付部１４２の先端側に設けられた導通接触部１５０が遊技盤Ｇの内レール９６に圧接して電気的に導通される。これにより、遊技盤Ｇは、内レール９６、アース部材１４０、及びアース線１６０を介してアース接地され、盤面を構成するセル上を遊技球が移動する際の摩擦で発生する静電気が良好に除去される。したがって、遊技盤Ｇで発生する静電気によるパチンコ機１０の誤動作等の悪影響を確実に防止することができる。
【００５２】
また、上記のアース部材１４０は、突出部１４８が外れ球誘導路１２０の前端面１２０Ａに設けられたセンターピン１２２及びサイドピン１２４Ｌ、１２４Ｒに支持されている。詳細には、突出部１４８の長孔１５２にセンターピン１２２が挿通されて係合し、切欠き１５４Ｌ、１５４Ｒにサイドピン１２４Ｌ、１２４Ｒが嵌め合わせられて係合し、湾曲部１４６、突出部１４８、及び導通接触部１５０を含むアース部材１４０の先端側の上下方向及び左右方向の位置が決められて支持されており、さらに、突出部１４８が外れ球誘導路１２０の前端面１２０Ａに当接することにより、アース部材１４０の先端側における奥行き方向（パチンコ機１０の前後方向）の位置が決められて支持されている。
【００５３】
これにより、導通接触部１５０付近やアース部材１４０の先端側に加えられる荷重（外力）は、上記のように、外れ球誘導路１２０の前端面１２０Ａに支持された突出部１４８によって受け止められる。
【００５４】
例えば、図９（Ａ）に示されるように、上方から加えられる荷重（矢印Ｆ１）は、長孔１５２の上縁がセンターピン１２２に係合して支持され、切欠き１５４Ｌ、１５４Ｒの上縁がサイドピン１２４Ｌ、１２４Ｒに係合して支持されることにより受け止められる。また、下方から加えられる荷重（矢印Ｆ２）は、長孔１５２の下縁がセンターピン１２２に係合して支持されることにより受け止められる。また、前方から加えられる荷重（矢印Ｆ３）は、突出部１４８が外れ球誘導路１２０の前端面１２０Ａに当接して支持されるとともに、湾曲部１４６が弾性変形し裏面をセンターピン１２２に当接させて支持されることにより受け止められる。また、斜め上方から加えられる荷重（矢印Ｆ４）や斜め下方から加えられる荷重（矢印Ｆ５）も同様に、上記各部の係合と当接による支持で受け止められる。
【００５５】
また、図９（Ｂ）に示されるように、左右方向から加えられる荷重（矢印Ｆ６、Ｆ７）については、長孔１５２の側縁がセンターピン１２２に係合して支持され、切欠き１５４Ｌ、１５４Ｒの側縁がサイドピン１２４Ｌ、１２４Ｒに係合して支持されることにより受け止められる。さらに、捻りを生じさせるような方向の荷重（矢印Ｆ８〜１１）等についても、上記各部の係合による支持によって荷重が受け止められる。
【００５６】
このように、導通接触部１５０付近やアース部材１４０の先端側に加えられる様々な荷重（矢印Ｆ１〜１１）に対し、突出部１４８が外れ球誘導路１２０の前端面１２０Ａに支持されて受け止められることで、アース部材１４０の変形は確実に抑えられる。
【００５７】
また、特にこのアース部材１４０は、金属製の板バネで形成していることにより、構成を簡素化することができ安価に作製することができる。
【００５８】
以上、本発明を上述した特定の実施形態により詳細に説明したが、本発明はそれに限定されるものではなく、本発明の範囲内にて他の種々の形態が実施可能である。
【００５９】
例えば、上記の実施形態では、パチンコ機１０の遊技盤Ｇに形成されたアウト口９８部分におけるアース構造１００を例に説明したが、本発明は、パチンコ機１０等の遊技機を構成する他の構成部材に対するアース構造、あるいは、遊技機に限らず、帯電部材にアース部材を圧接させて電気的に導通しアースする構成のアース構造に適用することができる。
【図面の簡単な説明】
【００６０】
【図１】本発明の一実施形態に係るパチンコ機を示す正面図である。
【図２】本発明の一実施形態に係るパチンコ機を示す背面図である。
【図３】本発明の一実施形態に係るパチンコ機を示す正面側から見た斜視図である。
【図４】本発明の一実施形態に係るパチンコ機のガラス枠及び皿ユニットが開放された状態を示す正面側から見た斜視図である。
【図５】本発明の一実施形態に係るアース構造が設けられた球通路ユニットを示す斜視図である。
【図６】本発明の一実施形態に係るアース構造が設けられた球通路ユニットを示す右側面図である。
【図７】本発明の一実施形態に係るアース構造を示す分解斜視図である。
【図８】本発明の一実施形態に係るアース構造の分解状態を示す右側面図である。
【図９】本発明の一実施形態に係るアース部材を示す（Ａ）が右側面図、（Ｂ）が背面図である。
【図１０】本発明の一実施形態に係る内枠に球通路ユニットが取り付けられた状態を示す拡大斜視図である。
【図１１】本発明の一実施形態に係る内枠に遊技盤が取り付けられた状態を示す正面図である。
【図１２】本発明の一実施形態に係るアース構造の導通状態を拡大して示す図１１の１２−１２線断面図である。
【符号の説明】
【００６１】
１０        パチンコ機（遊技機）
９６        内レール
９８        アウト口
１００      アース構造
１１０      球通路ユニット
１１２      球通路本体（取付手段）
１１２Ａ    前面
１２０      外れ球誘導路
１２０Ａ    前端面（当接支持部）
１２０Ｂ    下面
１２２      センターピン（係合支持部／当接支持部）
１２４Ｌ    サイドピン（係合支持部）
１２４Ｒ    サイドピン（係合支持部）
１４０      アース部材
１４２      取付部
１４６      湾曲部
１４８      突出部（荷重受け部）
１５０      導通接触部（圧接部）
１５２      長孔
１５４Ｌ    切欠き
１５４Ｒ    切欠き
Ｇ          遊技盤（帯電部材／構成部材）
【図１】
2008000537.tif 000003
【図２】
2008000537.tif 000004
【図３】
2008000537.tif 000005
【図４】
2008000537.tif 000006
【図５】
2008000537.tif 000007
【図６】
2008000537.tif 000008
【図７】
2008000537.tif 000009
【図８】
2008000537.tif 000010
【図９】
2008000537.tif 000011
【図１０】
2008000537.tif 000012
【図１１】
2008000537.tif 000013
【図１２】
2008000537.tif 000014